(57)【要約】【目的】  サービスセンタからファクシミリ受信したデータを音声で聴取できるようにする。【構成】  システム制御部１は、受信データ蓄積部９に通信回線を介してサービスセンタから受信したキャラクタデータを記憶し、操作表示部８によって再生が指示されたとき、受信データ蓄積部９に記憶されたキャラクタデータをデータ変換部１１によって音声データに変換し、音声出力部１２によってその音声データによる音声を出力する。【選択図】        図１
2005304071.tif 000002
【特許請求の範囲】
【請求項１】
通信回線を介してサービスセンタから受信したキャラクタデータを記憶する記憶手段と、再生が指示されたとき、前記記憶手段に記憶されたキャラクタデータを音声データに変換する音声変換手段と、該手段によって変換された音声データによる音声を出力する音声出力手段とを備えたことを特徴とする通信端末装置。
【請求項２】
通信回線を介してサービスセンタから受信したイメージデータとキャラクタデータを記憶する記憶手段と、再生の指示のときに映像出力が指示されたとき、前記記憶手段に記憶されたキャラクタデータに基づく映像を表示する手段とを備えたことを特徴とする通信端末装置。
【請求項３】
請求項１又は２記載の通信端末装置において、
前記記憶手段に記憶されたキャラクタデータ又はイメージデータとキャラクタデータを着脱可能な外部メモリに記憶させる手段を設けたことを特徴とする通信端末装置。
【請求項４】
請求項３記載の通信端末装置によってキャラクタデータ又はイメージデータとキャラクタデータを記憶した外部メモリを装着し、該外部メモリに記憶されたキャラクタデータを音声データに変換する手段と、該手段によって変換された音声データによる音声を出力する手段と、前記キャラクタデータに基づく映像を表示する手段とを備えたことを特徴とする携帯再生装置。
【発明の詳細な説明】
【技術分野】
【０００１】
この発明は、ファクシミリ装置，パーソナルコンピュータ通信可能なパーソナルコンピュータ等の通信端末装置とＰＤＡ等の携帯再生装置に関する。
【背景技術】
【０００２】
従来、サービスセンタから新聞情報等のデータをユーザのファクシミリ装置へファクシミリ（ＦＡＸ）通信で送出し、ユーザのファクシミリ装置によってそのデータを記録紙に記録したりモニタ画面に表示する通信システム（例えば、特許文献１参照）があった。
【特許文献１】特開平１−２７８１６４号公報
【発明の開示】
【発明が解決しようとする課題】
【０００３】
しかしながら、従来の通信システムでは、ＦＡＸ受信した新聞情報等のデータを記録紙に記録出力するか、又はモニタ画面に表示するかしかできなかった。
したがって、その受信したデータの内容を音声で聴取することができないという問題があった。また、データを紙に記録することが不可欠なので不必要なデータもプリントアウトすることにより紙資源を無駄に浪費してしまうという問題もあった。
【０００４】
さらに、サービスセンタから受信したデータを記録紙に出力して通勤電車等の外出先で読みたい場合、混雑によって全く読むことができなかったり邪魔になって手軽に読むことができないという問題もあった。
【０００５】
この発明は上記の点に鑑みてなされたものであり、サービスセンタからファクシミリ受信したデータを音声で聴取できるようにすることを第１の目的とする。
また、そのデータを記録紙に印刷しないでも外出先で手軽に読めるようにすることを第２の目的とする。
【課題を解決するための手段】
【０００６】
この発明は上記の第１の目的を達成するため、通信回線を介してサービスセンタから受信したキャラクタデータを記憶する記憶手段と、再生が指示されたとき、上記記憶手段に記憶されたキャラクタデータを音声データに変換する音声変換手段と、その手段によって変換された音声データによる音声を出力する音声出力手段を備えた通信端末装置を提供する。
【０００７】
また、通信回線を介してサービスセンタから受信したイメージデータとキャラクタデータを記憶する記憶手段と、再生の指示のときに映像出力が指示されたとき、上記記憶手段に記憶されたキャラクタデータに基づく映像を表示する手段を備えた通信端末装置を提供する。
【０００８】
さらに、上記記憶手段に記憶されたキャラクタデータ又はイメージデータとキャラクタデータを着脱可能な外部メモリに記憶させる手段を設けるとよい。
【０００９】
さらにまた、この発明は上記の第２の目的を達成するため、上記のような通信端末装置によってキャラクタデータ又はイメージデータとキャラクタデータを記憶した外部メモリを装着し、その外部メモリに記憶されたキャラクタデータを音声データに変換する手段と、その手段によって変換された音声データによる音声を出力する手段と、上記キャラクタデータに基づく映像を表示する手段を備えた携帯再生装置も提供する。
【００１０】
この発明による請求項１の通信端末装置によれば、通信回線を介してサービスセンタから受信したキャラクタデータを記憶し、再生が指示されたとき、そのキャラクタデータを音声データに変換して音声を出力するので、上記キャラクタデータを音声で聴取することができる。
【００１１】
また、この発明による請求項２の通信端末装置によれば、通信回線を介してサービスセンタから受信したイメージデータとキャラクタデータを記憶し、再生の指示のときに映像出力が指示されたとき、記憶したキャラクタデータに基づく映像を表示するようにすれば、必要に応じて音声に替えて映像でも出力することができる。
【００１２】
さらに、この発明による請求項３の通信端末装置によれば、記憶したキャラクタデータを着脱可能な外部メモリに記憶させるようにすれば、携帯再生装置等の他の装置に装着してそのキャラクタデータを再生利用させることができる。
【００１３】
さらにまた、この発明による請求項４の携帯再生装置によれば、上記通信端末装置によってイメージデータとキャラクタデータを記憶した外部メモリを装着し、そのキャラクタデータを音声データに変換して音声を出力し、そのキャラクタデータに基づく映像を表示し、そのイメージデータを表示するので、サービスセンタから受信したデータの内容を外出先で手軽に読んだり聞いたりすることができる。
【００１４】
したがって、通勤電車等の混雑する場所においても新聞，雑誌，図書等のデータの内容を読み取ることができ、音声で聴取することもできる。また、この携帯再生装置によれば、コンパクトで持ち運びに便利なので邪魔にならず、上記データを印刷した紙を持ち運ぶような煩雑な思いをせずに済む。さらに、紙資源の浪費を防止することもできる。
【発明の効果】
【００１５】
この発明の通信端末装置によれば、サービスセンタからファクシミリ受信したデータを音声で聴取することができる。
また、この発明の携帯再生装置によれば、通信端末装置によって受信したデータをメモリカード等の外部メモリを介して再生利用することができ、そのデータを記録紙に印刷しないでも外出先で手軽に読むことができる。
【発明を実施するための最良の形態】
【００１６】
以下、この発明を実施するための最良の形態を図面に基づいて具体的に説明する。
以下、この発明の実施の形態を図面に基づいて具体的に説明する。
図１はこの発明による通信端末装置の一実施形態であるファクシミリ装置の構成を示すブロック図である。図２はそのファクシミリ装置を用いた通信システムの一構成例を示す図である。図３はそのファクシミリ装置とこの発明による携帯再生装置の一実施形態であるＰＤＡとからなるシステム構成の図である。
【００１７】
図１に示すように、このファクシミリ装置は、システム制御部１，システムメモリ２，符号化復号化部３，スキャナ部４，プロッタ部５，モデム６，網制御部７，操作表示部８，受信データ蓄積部９，キャラクタコードテーブル１０，データ変換部１１，音声出力部１２，外部記憶装置インタフェース（Ｉ／Ｆ）１３，及びバス１４からなる。
【００１８】
システム制御部１は、ＣＰＵ，ＲＯＭ，及びＲＡＭ等からなるマイクロコンピュータで実現される機能部であり、このファクシミリ装置全体の制御とこの発明にかかわるキャラクタデータの音声出力等の処理を行なう。
システムメモリ２は、システム制御部１が制御処理プログラムを実行する際に必要な各種のパラメータと、このファクシミリ装置に固有な各種の情報とを記憶すると共に、システム制御部１のワークエリアを構成するメモリである。
【００１９】
符号化復号化部３は、ファクシミリ通信によって画情報をデータ転送するとき、その画情報を所定の符号化処理によって圧縮する。また、ファクシミリ通信によってデータ受信した時、圧縮符号化された状態で受信した画情報を元の画情報に復号化する。
【００２０】
スキャナ部４は、光学的に所定の解像度で原稿画像を読み取る画像読取装置である。プロッタ部５は、通信回線を介してファクシミリ受信した画情報（イメージデータ又はキャラクタデータ），スキャナ部４によって読み取った原稿画像を記録紙に印刷して再生するレーザプリンタ，インクジェットプリンタ等の印刷装置である。
【００２１】
モデム６は、通信回線を介して相手先の装置とファクシミリ伝送手順信号，及び画情報のやり取りを行なってＧ３ファクシミリ通信の機能を実現する。
網制御部７は、公衆回線等の通信回線と接続し、ファクシミリ通信時の自動切り替え，相手装置への発呼動作を行なう。
【００２２】
操作表示部８は、各種操作キーを備えたキーボード等の操作部とＬＣＤ等のディスプレイである表示パネル部とからなり、その操作部によってオペレータによるこのファクシミリ装置の各種操作入力を可能にし、その表示パネル部にファクシミリ通信時の異常や各種操作時のガイダンスを表示してオペレータに通知し、ファクシミリ受信したキャラクタコードも表示する。
【００２３】
受信データ蓄積部９は、ファクシミリ通信によって受信した画情報を蓄積して記憶するメモリである。
キャラクタコードテーブル１０は、画情報のキャラクタコードデータをイメージデータに変換して展開するための情報を格納したメモリである。
【００２４】
データ変換部１１は、キャラクタコードテーブル１０を参照して画情報のキャラクタコードデータをイメージデータに変換する。また、キャラクタコードデータを音声データに変換する。
音声出力部１２は、データ変換部１１によってキャラクタコードデータから変換された音声データによる音声を出力するスピーカである。
【００２５】
外部記憶装置Ｉ／Ｆ１３は、図３に示したＰＤＡに着脱可能な外部メモリであるメモリカードを装着し、そのメモリカードに受信データ蓄積部９に記憶されたイメージデータ又はキャラクタコードデータの画情報を記憶させる。
バス１４は、上記各部間で各種のデータをやり取りするための通信線である。
【００２６】
そして、オペレータによる再生指示に基づいて、システム制御部１は受信データ蓄積部９に記憶された画情報を読み出してその再生を行なう。
イメージデータの印刷再生が指示された場合、システム制御部１は受信データ蓄積部９に記憶された画情報のイメージデータを読み出してプロッタ部５へ送り、プロッタ部５はそのイメージデータを記録紙に印刷する。
【００２７】
また、キャラクタコードデータの印刷再生が指示された場合、システム制御部１は受信データ蓄積部９に記憶された画情報のキャラクタコードデータを読み出してデータ変換部１１へ送り、データ変換部１１はキャラクタコードテーブル１０を参照してそのキャラクタコードデータをイメージデータに変換して展開してプロッタ部５へ送り、プロッタ部５はそのイメージデータを記録紙に印刷する。
【００２８】
さらに、キャラクタコードの音声再生が指示された場合、システム制御部１は受信データ蓄積部９に記憶された画情報のキャラクタコードデータを読み出してデータ変換部１１へ送り、データ変換部１１はそのキャラクタコードデータを音声データに変換して音声出力部１２へ送り、音声出力部１２はその音声データに基づいて音声出力する。
【００２９】
さらにまた、キャラクタコードの映像再生が指示された場合、システム制御部１は受信データ蓄積部９に記憶された画情報のキャラクタコードデータを読み出して操作表示部８へ送り、操作表示部８は表示パネル部にそのキャラクタコードデータに基づく情報を表示する。
【００３０】
また、メモリカードへの出力が指示された場合、システム制御部１はメモリカードの装着の確認とそのメモリカードの容量のチェックを行ない、受信データ蓄積部９に記憶されたキャラクタコードデータ又はイメージデータの画情報を読み出してメモリカードに書き込む。
【００３１】
すなわち、上記受信データ蓄積部９が通信回線を介してサービスセンタの端末装置ＳＣから受信したイメージデータ又はキャラクタデータの画情報を記憶する記憶手段の機能を果たす。上記プロッタ部５が受信データ蓄積部９に記憶されたイメージデータを印刷する手段の機能を果たす。上記操作表示部８の表示パネル部が受信データ蓄積部９に記憶されたイメージデータ又はキャラクタデータを表示する手段の機能を果たす。
【００３２】
また、上記キャラクタコードテーブル１０とデータ変換部１１が、再生が指示されたとき受信データ蓄積部９に記憶されたキャラクタデータを音声データに変換する音声変換手段の機能を果たす。上記音声出力部１２が上記変換された音声データによる音声を出力する音声出力手段の機能を果たす。
【００３３】
さらに、上記操作表示部８の表示パネル部が、上記再生の指示のときに映像出力が指示されたとき、受信データ蓄積部９に記憶されたキャラクタデータ又はイメージデータに基づく映像を表示する手段の機能を果たす。
さらにまた、上記外部記憶装置Ｉ／Ｆ１３が受信データ蓄積部９に記憶されたキャラクタデータ又はイメージデータを着脱可能なメモリカード等の外部メモリに記憶させる手段の機能を果たす。
【００３４】
次に、サービスセンタの端末装置に通信回線を介して上記ファクシミリ装置を接続し、そのサービスセンタから各種のデータ送信のサービスを受ける通信システムについて説明する。
図２に示すように、サービスセンタの端末装置ＳＣに通信回線Ｌを介して複数のファクシミリ装置Ｔ１〜Ｔｋ，Ｔｍ〜Ｔｎが接続されており、その各ファクシミリ装置Ｔ１〜Ｔｋ，Ｔｍ〜Ｔｎはそれぞれ図１に示したファクシミリ装置の機能を備えている。
【００３５】
サービスセンタでは、端末装置ＳＣによって通信回線Ｌを介して各ファクシミリ装置Ｔ１〜Ｔｋ，Ｔｍ〜Ｔｎへ文書情報等のデータ送信サービスを実施する。各ファクシミリ装置Ｔ１〜Ｔｋ，Ｔｍ〜Ｔｎは、サービスセンタによるデータ送信サービスを受けるために、ユーザ登録を行なう。
【００３６】
次に、そのユーザ登録処理について説明する。サービスセンタによるデータ送信サービスを受けたいファクシミリ装置Ｔｋは、サービスセンタの端末装置ＳＣへ発呼する。サービスセンタの端末装置ＳＣは、予め光ディスク装置等の大容量のメモリに各種のサービス送信用のデータを記憶している。そのデータはキャラクタコードデータとイメージデータとからなる文書情報等のデータである。
【００３７】
そして、端末装置ＳＣは、網制御部によって通信回線Ｌから呼出信号を検出すると、その呼出信号の送信元のファクシミリ装置Ｔｋとの回線接続を実行する。
回線を接続すると、端末装置ＳＣのシステム制御部はサービス案内及びユーザ登録方法についての音声メッセージを網制御部によってファクシミリ装置Ｔｋへ送出する。
【００３８】
ファクシミリ装置Ｔｋは、サービスセンタの端末装置ＳＣから受信した音声メッセージにしたがって、データ送信サービスを受けるためのユーザ登録要求と共に、自装置の電話番号，クレジットカード番号，要求サービスの種類，及びそのデータ送信サービスを受信したい時間（受信時間）等のユーザ情報を操作表示部のキー操作によって端末装置ＳＣへ送信する。
【００３９】
サービスセンタの端末装置ＳＣは、通信回線Ｌを介してファクシミリ装置Ｔｋから送られてくるデータ送信サービスのユーザ登録要求とユーザ情報とを受信し、そのユーザ情報の電話番号，クレジットカード番号，要求サービスの種類，及び受信時間等を認識し、データ送信サービスの相手先端末情報としてＲＡＭ上のユーザテーブルに記憶してユーザ登録する。そのユーザ情報の記憶入力が完了すると、システム制御部は確認のためにその記憶したユーザ情報を音声データに変換してファクシミリ装置Ｔｋへ送出し、ユーザに確認を促す。
【００４０】
ファクシミリ装置Ｔｋは、サービスセンタの端末装置ＳＣから受信したユーザ情報の音声データを確認し、良ければ操作表示部のキー操作によって了解を示す信号をサービスセンタの端末装置ＳＣへ送る。
サービスセンタの端末装置ＳＣは、ファクシミリ装置Ｔｋから了解を示す信号を受信すると、ユーザ登録を終了して網制御部によって回線を解放する。
【００４１】
次に、サービスセンタの端末装置ＳＣは、システム制御部によってＲＡＭ上のユーザテーブルを逐次確認し、その中でユーザによって指定された受信時間（サービスセンタ側ではサービス送信時間）がきているユーザ情報があれば、そのユーザ情報の要求サービスの種類を読み出し、その種類に対応するサービス送信用のデータをメモリから読み出す。
【００４２】
その後、ユーザ情報の相手先のファクシミリ装置Ｔｋの電話番号を読み出し、その電話番号に発呼し、相手先のファクシミリ装置Ｔｋとの回線を接続すると、メモリから読み出したサービス送信用のデータをファクシミリ送信する。そのデータは１ページ毎に区切って送出する。そして、相手先のファクシミリ装置Ｔｋへの送信完了を確認すると、回線を解放して待機状態に戻り、ＲＡＭ上のユーザ情報のクレジットカード番号に基づいてユーザへの課金処理を行なう。
【００４３】
ファクシミリ装置Ｔｋは、サービスセンタの端末装置ＳＣから受信したデータを記憶し、そのデータを再生して利用する。その再生にはイメージデータの印刷、キャラクタデータの音声出力、キャラクタデータの映像表示、及びイメージデータとキャラクタデータの印刷がある。また、イメージデータとキャラクタデータをＰＤＡに装着して使用するメモリカードへ書き込むこともできる。
【００４４】
次に、ファクシミリ装置によってイメージデータとキャラクタデータを書き込んだメモリカードをＰＤＡで利用するときの処理について説明する。
ＰＤＡ２０は、メモリカード２１を装着して、そのメモリカード２１に記憶されているデータを再生出力するコンパクトな携帯型の音声及び表示再生装置である。
【００４５】
このファクシミリ装置Ｔｎは、サービスセンタから受信したデータをメモリカード２１へ書き込むことができる。
ファクシミリ装置Ｔｎは、外部記憶装置Ｉ／ＦにＰＤＡ２０に装着して使用するメモリカード２１を装着し、サービスセンタから受信したイメージデータ又はキャラクタデータの画情報を外部記憶装置Ｉ／Ｆを介して書き込む。
【００４６】
そして、ＰＤＡ２０は、そのメモリカード２１を装着して、液晶タッチパネルの表示部２２にガイダンス画面を表示する。ユーザは、入力ペン２３又は指等でその画面中のキーをタッチすることにより、データの検索，再生，加工等の各種の処理を行なう。
【００４７】
ＰＤＡ２０は、音声再生が指示されると、メモリカード２１からキャラクタデータを読み出し、それを音声データに変換してイヤホン又はスピーカへ出力する。また、映像再生が指示されると、メモリカード２１からキャラクタデータ又はイメージデータを読み出し、それに基づく映像を表示部２２に表示する。
【００４８】
すなわち、このＰＤＡ２０は、上記ファクシミリ装置によってイメージデータ又はキャラクタデータを記憶したメモリカード２１を装着し、そのメモリカード２１に記憶されたキャラクタデータを音声データに変換する変換部と、その変換された音声データに基づく音声を出力するスピーカである音声出力部と、そのキャラクタデータ又はイメージデータに基づく映像を表示するディスプレイである表示部とを備えている。
【００４９】
次に、上記ファクシミリ装置におけるサービスセンタからのデータ受信時の処理について説明する。
図４は、上記ファクシミリ装置におけるサービスセンタからのデータ受信時の処理を示すフローチャートである。
【００５０】
この処理は、ステップ（図中「Ｓ」で示す）１で受信動作を開始し、ステップ２へ進んで指定サービス局（予めユーザ登録によってサービスの提供を申し込んだサービスセンタ）からのデータ受信か否かを判断して、そのデータ受信でなければステップ３へ進んで受信したデータを印刷出力して、この処理を終了する。
【００５１】
ステップ２の判断で指定サービス局からのデータ受信なら、ステップ４へ進んでその受信データをメモリ蓄積し、ステップ５へ進んで受信データ終了か否かを判断して、終了するまでステップ４のメモリ蓄積を続ける。
【００５２】
ステップ５の判断で受信データ終了なら、ステップ６へ進んで受信動作を終了し、ステップ７へ進んで受信データはイメージデータのみか否かを判断して、イメージデータのみならステップ８へ進んでメモリから受信イメージデータを読み出し、ステップ３へ進んでそのイメージデータを印刷出力して、この処理を終了する。
【００５３】
ステップ７の判断で受信データがイメージデータのみでなければ、ステップ９へ進んで印刷再生を行なうか否かを判断して、印刷再生を行なうならステップ８５へ進んでメモリから受信イメージデータのみを読み出してステップ３へ進んでそのイメージデータを印刷出力して、この処理を終了する。
【００５４】
ステップ９の判断で印刷再生を行なわずに音声再生を行なうなら、ステップ１０へ進んでメモリから受信キャラクタコードデータのみを読み出し、ステップ１１へ進んでその受信キャラクタコードデータを音声データに変換し、ステップ１２へ進んで音声出力し、ステップ１３へ進んでメモリに記憶した受信データである蓄積データを消去するか否かを判断して、消去しなければステップ９へ戻り、消去ならステップ１４へ進んでメモリ中の受信データを消去して、この処理を終了する。
【００５５】
さらにこの処理について説明する。システム制御部１は、網制御部７によって着呼を検出してその相手先と回線を接続した後（Ｓ１）、ＴＴＩ等によって発呼局を判別し、予めユーザ登録によってサービスの提供を申し込んだサービスセンタの端末装置ＳＣか否かを判断して（Ｓ２）、サービスセンタの端末装置ＳＣからの発呼でなければ、プロッタ部５によってその受信したデータを通常の印刷出力する（Ｓ３）。
【００５６】
システム制御部１は、着呼を検出したときに、予めユーザ登録によってサービスの提供を申し込んだサービスセンタの端末装置ＳＣからの着呼のときには（Ｓ２）、その受信したデータを順次受信データ蓄積部９に蓄積し（Ｓ４〜５）、受信動作が終了したら（Ｓ６）、受信データ蓄積部９に記憶されたデータがイメージデータのみの受信データとイメージデータとキャラクタコードデータとからなる受信データとのいずれかを判断する（Ｓ７）。
【００５７】
システム制御部１は、イメージデータのみと判断したら、受信データ蓄積部９からそのイメージデータを読み出し（Ｓ８）、プロッタ部５によってそのイメージデータを印刷出力する（Ｓ３）。また、イメージデータとキャラクタコードデータとからなる受信データと判断したら、さらに操作表示部８によって印刷再生が選択されたか否かを判断する（Ｓ９）。
【００５８】
システム制御部１は、印刷再生が選択されたと判断したら、受信データ蓄積部９から受信データからイメージデータのみを読み出し（Ｓ８）、プロッタ部５によってそのイメージデータを印刷出力する（Ｓ３）。また、印刷再生が選択されずに音声再生が選択されたと判断したら、受信データ蓄積部９から受信データのキャラクタコードデータのみを読み出す（Ｓ１０）。
【００５９】
そして、データ変換部１１がキャラクタコードテーブル１０を参照してそのキャラクタコードデータを音声データに変換し（Ｓ１１）、音声出力部１２によってその音声データによる音声を出力して（Ｓ１２）、オペレータへ向かって再生音声を発生させる。
【００６０】
さらに、システム制御部１は、音声出力後に操作表示部８によって受信データの消去が選択されたか否か、及びイメージデータの再生が選択されたか否かを判断して（Ｓ１３）、イメージデータの再生が選択されたと判断したら、受信データ蓄積部９に記憶されている受信データからイメージデータのみを読み出し（Ｓ８）、プロッタ部５によってそのイメージデータを印刷出力し（Ｓ３）、さらに消去が選択されたと判断したら、受信データ蓄積部９に記憶されている受信データを消去して（Ｓ１４）、この処理を終了する。
【００６１】
このようにして、サービスセンタから受信したキャラクタコードを音声でも出力することができ、操作性を向上させることができる。
なお、受信データがイメージデータとキャラクタデータとからなる場合、そのキャラクタデータをデータ変換部１１によってイメージデータに変換し、共にプロッタ部５によって印刷出力するようにしてもよい。
【００６２】
次に、上記ファクシミリ装置におけるサービスセンタからのデータ受信時の他の処理例について説明する。
図５は、上記ファクシミリ装置におけるサービスセンタからのデータ受信時の他の処理例を示すフローチャートである。
【００６３】
この処理は、ステップ（図中「Ｓ」で示す）２１で受信動作を開始し、ステップ２２へ進んで指定サービス局（予めユーザ登録によってサービスの提供を申し込んだサービスセンタ）からのデータ受信か否かを判断して、そのデータ受信でなければステップ２３へ進んで受信したデータを印刷出力して、この処理を終了する。
【００６４】
ステップ２２の判断で指定サービス局からのデータ受信なら、ステップ２４へ進んでその受信データをメモリ蓄積し、ステップ２５へ進んで受信データ終了か否かを判断して、終了するまでステップ２４のメモリ蓄積を続ける。
【００６５】
ステップ２５の判断で受信データ終了なら、ステップ２６へ進んで受信動作を終了し、ステップ２７へ進んで受信データはイメージデータのみか否かを判断して、イメージデータのみならステップ２８へ進んでメモリから受信イメージデータを読み出し、ステップ２３へ進んでそのイメージデータを印刷出力して、この処理を終了する。
【００６６】
ステップ２７の判断で受信データがイメージデータのみでなければ、ステップ２９へ進んで印刷再生を行なうか否かを判断して、印刷再生を行なうならステップ３０へ進んで総データ（イメージデータとキャラクタデータとからなる受信データ）を印刷記録するか否かを判断して、総データの印刷記録でなければステップ２８へ進んでメモリから受信データのうちイメージデータのみを読み出し、ステップ２３へ進んでそのイメージデータを印刷出力して、この処理を終了する。
【００６７】
ステップ３０の判断で総データの印刷記録なら、ステップ３１へ進んで総データを読み出し、ステップ３２へ進んで総データのキャラクタデータをイメージデータへ変換し、ステップ２３へ進んでそのイメージデータを総データのイメージデータと共に印刷出力して、この処理を終了する。
【００６８】
ステップ２９の判断で印刷再生を行なわなければ、ステップ３３へ進んでメモリから受信データのキャラクタデータのみを読み出し、ステップ３４へ進んで音声再生が選択されたか否かを判断して、音声再生が選択されたらステップ３５へ進んで受信データのキャラクタデータを音声データに変換し、ステップ３６へ進んで音声出力し、ステップ３８へ進む。
【００６９】
ステップ３４の判断で音声再生でなければ、ステップ３７へ進んでキャラクタデータを表示し、ステップ３８へ進んで蓄積データ（メモリに蓄積した受信データ）を消去する選択がされたか否かを判断して、選択されなければステップ２９へ戻り、選択されたらステップ３９へ進んでメモリから受信データを消去して、この処理を終了する。
【００７０】
さらにこの処理について説明する。システム制御部１は、網制御部７によって着呼を検出してその相手先と回線を接続した後（Ｓ２１）、ＴＴＩ等によって発呼局を判別し、予めユーザ登録によってサービスの提供を申し込んだサービスセンタの端末装置ＳＣか否かを判断し（Ｓ２２）、サービスセンタの端末装置ＳＣからの着呼でないと判断したら、プロッタ部５によってその受信したデータを通常の印刷出力する（Ｓ２３）。
【００７１】
システム制御部１は、予めユーザ登録によってサービスの提供を申し込んだサービスセンタの端末装置ＳＣからの着呼であると判断したら（Ｓ２２）、受信したデータを順次受信データ蓄積部９に蓄積し（Ｓ２４〜２５）、受信動作が終了したら（Ｓ２６）、受信データ蓄積部９に記憶されたデータがイメージデータのみの受信データとイメージデータとキャラクタコードデータとからなる受信データとのいずれかを判断する（Ｓ２７）。
【００７２】
システム制御部１は、イメージデータのみの受信データと判断したら、受信データ蓄積部９から受信データのイメージデータを読み出し（Ｓ２８）、プロッタ部５によってそのイメージデータを印刷出力する（Ｓ２３）。また、イメージデータとキャラクタコードデータとからなる受信データと判断したら、操作表示部８によって印刷再生が選択されたか否かを判断する（Ｓ２９）。
【００７３】
システム制御部１は、印刷再生が選択されたと判断したら、さらに操作表示部８によって総データ（イメージデータとキャラクタコードデータ）の印刷記録とイメージデータのみの印刷記録のいずれが選択されたかを判断する（Ｓ３０）。
【００７４】
システム制御部１は、イメージデータのみの印刷記録が選択されたと判断したら、受信データ蓄積部９から受信データのイメージデータのみを読み出し（Ｓ２８）、プロッタ部５によってそのイメージデータを印刷出力する（Ｓ２３）。また、総データの記録印刷が選択されたと判断したら、受信データ蓄積部９から受信したイメージデータとキャラクタデータを共に読み出す（Ｓ３１）。そして、データ変換部１１がそのキャラクタコードデータをイメージデータに変換し（Ｓ３２）、プロッタ部５によって両イメージデータを印刷出力する（Ｓ２３）。
【００７５】
システム制御部１は、印刷再生が選択されなければ、受信データ蓄積部９から受信データのキャラクタデータのみを読み出し、さらに操作表示部８によって音声再生が選択されたか否かを判断して（Ｓ３４）、音声再生が選択されたと判断したら、データ変換部１１がキャラクタコードテーブル１０を参照してそのキャラクタコードデータを音声データに変換し（Ｓ３５）、音声出力部１２によってその音声データによる音声出力をする（Ｓ３６）。
【００７６】
システム制御部１は、操作表示部８によって音声再生が選択されたか否かの判断で（Ｓ３４）、音声再生が選択されなければ、キャラクタデータを操作表示部８の表示パネル部に表示する（Ｓ３７）。
【００７７】
そして、システム制御部１は、キャラクタデータの音声出力又は表示出力の後、操作表示部８によって蓄積データの消去が選択されたか否かを判断して（Ｓ３８）、消去が選択されなければ印字再生の処理に戻り（Ｓ２９）、消去が選択されたら受信データ蓄積部９に記憶されている受信データを消去して（Ｓ３９）、この処理を終了する。
【００７８】
このようにして、サービスセンタから受信したキャラクタコードを音声出力の他に映像（表示）出力することもでき、ユーザが必要に応じて出力形式を選択することができ、操作性を向上させることができる。
【００７９】
なお、上述の図４及び図５の処理において、イメージデータの表示も行なえるようにすると良い。この場合、システム制御部１は操作表示部８によってイメージデータの表示が選択されると、受信データ蓄積部９からイメージデータを読み出して操作表示部８の表示パネル部にそのイメージデータによる表示を行なう。この際、表示パネル部は１ページ分の縮小画像を表示できる大きさの表示画面を有し、ページ単位で表示するようにすれば使い勝手が良い。
また、ファクシミリ通信時の各種ガイダンスのみを表示する小さい表示画面のときには各ページのイメージデータを部分的に表示する。
【００８０】
さらに、上記受信データを音声出力後も受信データ蓄積部９に記憶して消去しないようにすれば、以後何度も再生して利用することができる。
また、上述のイメージデータを雑誌，新聞，図書等の文書の本文（図形や写真等の画像を含む）とし、キャラクタデータをそのインデックス情報にすれば、そのキャラクタデータを音声出力して必要な文書を検索し、その文書のイメージデータのみを紙に印刷出力させることができる。
【００８１】
次に、上記ファクシミリ装置におけるサービスセンタから受信したデータをメモリカードに記憶させるときの処理について説明する。
図６は、上記ファクシミリ装置におけるサービスセンタから受信したデータをメモリカードに記憶させるときの処理を示すフローチャートである。
【００８２】
この処理は、ステップ（図中「Ｓ」で示す）４１で受信動作を開始し、ステップ４２へ進んで指定サービス局（予めユーザ登録によってサービスの提供を申し込んだサービスセンタ）からのデータ受信か否かを判断して、そのデータ受信でなければステップ４３へ進んで受信したデータを印刷出力して、この処理を終了する。
【００８３】
ステップ４２の判断で指定サービス局からのデータ受信なら、ステップ４４へ進んでその受信データを内部メモリに蓄積し、ステップ４５へ進んで印刷出力の選択がされたか否かを判断して、印刷出力が選択されたらステップ４３へ進んで受信データの印刷出力をして、この処理を終了する。
【００８４】
ステップ４５の判断で印刷出力が選択されなければ、ステップ４６へ進んで外部メモリ（メモリカード）が装着されているか否かを判断して、装着されていなければステップ４７へ進んで外部メモリの装着を促すメッセージを表示してステップ４６へ戻る。
【００８５】
ステップ４６の判断で外部メモリが装着されていれば、ステップ４８へ進んで外部メモリの空き容量が受信データを記憶するのに充分か否かを判断して、充分でなければステップ４９へ進んで外部メモリに記憶されているデータは読み出し履歴が有るか否かを判断して、読み出し履歴がなければステップ５０へ進んでそのデータを印刷出力し、ステップ５１へ進んで外部メモリに内部メモリから読み出したデータをオーバーライトしてステップ５３へ進む。
【００８６】
ステップ４９の判断で外部メモリに記憶されているデータに読み出し履歴があれば、ステップ５１へ進んで外部メモリに内部メモリから読み出したデータをオーバーライトしてステップ５３へ進む。ステップ４８の判断で外部メモリの空き容量が充分なら、ステップ５２へ進んで内部メモリから読み出したデータを外部メモリにライトしてステップ５３へ進む。
【００８７】
ステップ５３では外部メモリに受信データをライトしたことを示すメッセージを表示し、ステップ５４へ進んで内部メモリの受信データを消去すると、この処理を終了する。
【００８８】
さらにこの処理について説明する。システム制御部１は、網制御部７によって着呼を検出してその相手先と回線を接続した後（Ｓ４１）、ＴＴＩ等によって発呼局を判別し、予めユーザ登録によってサービスの提供を申し込んだサービスセンタの端末装置ＳＣからの着呼か否かを判断し（Ｓ４２）、サービスセンタの端末装置ＳＣからの着呼でなければプロッタ部５によってその受信したデータを通常の印刷出力する（Ｓ４３）。
【００８９】
システム制御部１は、予めユーザ登録によってサービスの提供を申し込んだサービスセンタの端末装置ＳＣからの着呼と判断したときには（Ｓ４２）、受信したデータを受信データ蓄積部９に蓄積し（Ｓ４４）、操作表示部８によって印刷出力が選択されたか否かを判断して（Ｓ４５）、印刷出力が選択されたと判断したら、プロッタ部５によって受信データ蓄積部９に記憶された受信データを印刷出力する（Ｓ４３）。
【００９０】
システム制御部１は、操作表示部８によって印刷出力が選択されなければ、ＰＤＡ２０のメモリカード２１が装着されているか否かを判断する（Ｓ４６）。
この判断は、例えば、外部記憶装置Ｉ／Ｆ１３はメモリカードが装着されると検出信号をシステム制御部１へ送り、システム制御部１はその検出信号によってメモリカードの装着を検知するようにするとよい。
【００９１】
システム制御部１は、メモリカード２１が装着されていないと判断したら（Ｓ４６）、操作表示部８の表示パネル部にユーザに対するメモリカード２１の装着を促すメッセージを表示する（Ｓ４７）。そして、メモリカード２１が装着されていると判断したら（Ｓ４６）、外部記憶装置Ｉ／Ｆ１３を介してメモリカード２１の記憶エリアの空き容量を調べ、受信データ蓄積部９に記憶された受信データの容量を調べて、メモリカード２１の空き容量と受信データの容量を比較して、メモリカード２１に受信データを格納するだけの充分な空き容量があるか否かを判断する（Ｓ４８）。
【００９２】
システム制御部１は、メモリカード２１に既にデータが記憶されており、受信データ蓄積部９の受信データを格納するだけの充分な空き容量がないと判断したら（Ｓ４８）、外部記憶装置Ｉ／Ｆ１３を介してメモリカード２１に記憶されているデータに読み出された履歴が有るか否かを判断する（Ｓ４９）。
【００９３】
この判断のために、メモリカード２１のデータが読み出されたときにはそれを示す履歴情報が記憶されるようにする。そして、ファクシミリ装置のシステム制御部１はメモリカード２１に格納された履歴情報を読み出し、それによってメモリカード２１に記憶されているデータが読み出されたことが有るか否かを判断するとよい。
【００９４】
システム制御部１は、メモリカード２１のデータが１度も読み出されていないと判断したら（Ｓ４９）、外部記憶装置Ｉ／Ｆ１３を介してメモリカード２１に記憶されているデータを読み出し、それをプロッタ部５によって印刷する（Ｓ５０）。その後、受信データ蓄積部９の受信データを読み出し、それを外部記憶装置Ｉ／Ｆ１３を介してメモリカード２１に上書き（オーバーライト）する（Ｓ５１）。また、メモリカード２１のデータに読み出された履歴が有れば（Ｓ４９）、受信データ蓄積部９の受信データを読み出し、それを外部記憶装置Ｉ／Ｆ１３を介してメモリカード２１にオーバーライトする（Ｓ５１）。
【００９５】
システム制御部１は、メモリカード２１に充分な空き容量が有ると判断したときには（Ｓ４８）、受信データ蓄積部９の受信データを読み出し、それを外部記憶装置Ｉ／Ｆ１３を介してメモリカード２１にライトする（Ｓ５２）。
そして、システム制御部１は、メモリカード２１へのデータのライト（オーバーライト時も含む）後、操作表示部８の表示パネル部にメモリカード２１に受信データを書き込んだことを示すメッセージを表示し（Ｓ５３）、その表示後、受信データ蓄積部９に記憶されている受信データを消去して（Ｓ５４）、この処理を終了する。
【００９６】
なお、上述の処理において操作表示部８からの指示入力によってメモリカード２１への受信データの書き込みを行なうか否かを選択できるようにしても良い。
その場合、システム制御部１はメモリカード２１への受信データの書き込みが選択されなければ、受信データの再生処理に移行する。
【００９７】
また、システム制御部１は、メモリカード２１に充分な空き容量がないときには、操作表示部８に受信データの書き込みを行なうか否かを選択させるメッセージを表示し、操作表示部８によって書き込みが選択されなければ、受信データの書き込みを行なわないようにする。
【００９８】
さらに、システム制御部１の制御によって読み出し履歴の無いデータの印刷を実行するか否かを選択させてもよい。
さらにまた、メモリカード２１へ受信データを書き込んだ後、受信データ蓄積部９からの消去を選択できるようにしてもよい。
【００９９】
このようにして、サービスセンタから受信したデータをファクシミリ装置でのみ再生して利用するだけでなく、携帯して移動が可能なＰＤＡに装着可能なメモリカードに書き込んで、そのＰＤＡ上でも再生利用させることができる。
【０１００】
次に、ＰＤＡの処理について説明する。図７はＰＤＡの処理を示すフローチャートである。この処理は、ステップ（図中「Ｓ」で示す）６１でタッチ入力有りか否かを判断して、タッチ入力有りまでこの判断を行なう。タッチ入力有りならステップ６２へ進んでメモリカードが装着されたか否かを判断して、装着されていなければステップ６３へ進んでメモリカードの装着を促すメッセージを出力し、ステップ６２へ戻る。
【０１０１】
ステップ６２の判断でメモリカードが装着されていれば、ステップ６４へ進んでメモリカードからデータを読み出し、ステップ６５へ進んでそのデータの各ページの１行目のインデックスを抽出し、それらをソートして表示出力し、ステップ６６へ進んでいずれかのインデックスが選択されたか否かを判断する。
【０１０２】
ステップ６６の判断でインデックスが選択されなければ、ステップ６７へ進んで終了が選択されたか否かを判断して、終了が選択されなければステップ６６へ戻り、終了が選択されたらこの処理を終了する。
【０１０３】
ステップ６６の判断でインデックスが選択されたら、ステップ６８へ進んでその選択されたインデックスの全データ（イメージデータ及びキャラクタデータ）を読み出し、ステップ６９へ進んで全データを表示出力し、ステップ７０へ進んで音声出力の要求有りか否かを判断する。
【０１０４】
ステップ７０の判断で音声出力要求無しならステップ７２へ進み、音声出力要求有りならステップ７１へ進んでキャラクタデータを音声データに変換して音声出力し、ステップ７２へ進む。ステップ７２では停止又は次のデータ出力が選択されたか否かを判断して、いずれかが選択されたらステップ６５へ戻る。
【０１０５】
さらにこのＰＤＡにおける再生処理について説明するが、上記フローチャートとは若干異なる。図８はＰＤＡの正面図である。
ＰＤＡ２０は、表示部２２上の任意の箇所がタッチされると主電源を起動してメイン画面を表示する。その後、メイン画面の検索キー２４がタッチされると、システム制御部はメモリカード２１が装着されているか否かをチェックする。
【０１０６】
メモリカード２１の装着が確認できないときには、表示部２２にメモリカード２１の装着を促すメッセージを表示する。また、メモリカード２１の装着を確認したら、そのメモリカード２１に記憶されているデータの中から各ページのキャラクタデータの１行目に相当するインデックスを抽出し、それらをソートして表示部２２に表示する（図中矢示２９）。
【０１０７】
ここで、ユーザによっていずれかのインデックスがタッチされ、再生キー２５と音声のみキー２６がタッチされたら、メモリカード２１から指定されたインデックスに対応するデータのキャラクタデータのみを読み出してＰＤＡ２０の内部のＲＡＭに転送して格納する。その後、そのＲＡＭから逐次キャラクタデータを読み出してＰＤＡ２０の内部の音声変換部によって音声データに変換し、イヤホン２８又はスピーカへ音声出力する。
【０１０８】
また、その音声出力の際、停止，早回し，巻戻し等のキー（これらのキーは音声出力時又は表示出力時に表示される）がタッチされたら、システム制御部はそれらの指示に応じてＲＡＭからのキャラクタデータの読み出しを制御し、音声出力停止、音声早送り、音声巻戻し等を行なう。
【０１０９】
一方、再生キー２５と音声＋映像キー２７がタッチされたら、メモリカード２１から指定されたインデックスに対応するデータのイメージデータとキャラクタデータを読み出してＰＤＡ２０の内部のＲＡＭに転送して格納する。その後、ＲＡＭから逐次キャラクタデータを読み出してＰＤＡ２０の内部の音声変換部によって音声データに変換し、イヤホン２８又はスピーカへ音声出力すると共に、ＲＡＭからイメージデータを読み出して表示部２２に表示出力する。
【０１１０】
また、その際、停止，早回し，巻戻し等のキーがタッチされたら、システム制御部はそれらの指示に応じてＲＡＭからのキャラクタデータ及びイメージデータの読み出しを制御し、表示及び音声出力停止、表示及び音声早送り、表示及び音声巻戻し等を行なう。
【０１１１】
さらに、キャラクタコード及びイメージデータを共に表示部２２に表示するようにしても良い。その際、キャラクタコードはＰＤＡ２０の内部に設けたデータ変換部によってイメージデータに変換して表示しても良いし、キャラクタコードのままイメージデータと区別して表示しても良い。また、イメージデータのみを表示するようにしても良い。
【０１１２】
さらに、メモリカード２１にイメージデータのみ、あるいはキャラクタコードデータのみが記憶されている場合、イメージデータの表示のみ、キャラクタコードの表示及び音声出力のみを行なうとよい。
【０１１３】
図９はメモリカード２１に格納されたデータの一例を示す図である。
メモリカード２１に図表，写真等の映像のイメージデータ２９と、その映像の説明である文字情報のキャラクタコードデータ３０とを記憶させた場合、ＰＤＡ２０によってイメージデータ２９による表示出力とキャラクタコードデータ３０による音声出力とを同時に行なえる。したがって、ユーザは映像を見ながらその映像の説明を音声で聴取することができる。
【０１１４】
このようにして、ユーザはサービスセンタから受信したデータの内容を外出先で手軽に読んだり聞いたりすることができる。
したがって、ＰＤＡを使用すれば通勤電車等の混雑する場所においても新聞，雑誌，図書等のデータの内容を読んだり、それを音声で聴取したりすることができ、コンパクトで持ち運びに便利なので邪魔にならず、受信したデータを紙に印刷して持ち運ぶような煩雑な思いをせずに済む。さらに、受信データを紙で残しておきたい場合以外は印刷をせずに済むので紙資源の浪費を防止することもできる。
【０１１５】
なお、上記サービスセンタからユーザのファクシミリ装置へイメージデータのみ、あるいはキャラクタコードのみを送信することもできる。
また、上記サービスセンタから雑誌，新聞，図書等の文字部分をキャラクタコードデータで、写真，図等の画像部分をイメージデータでそれぞれ送出するようにし、それを受信したファクシミリ装置ではキャラクタコードデータとイメージデータを共に印刷又は表示したり、イメージデータのみを印刷又は表示したり、キャラクタコードのみは音声で出力又は映像で出力したりすることができ、ユーザが必要に応じて多様な再生形態を選択することができて操作性を向上させることができる。
【図面の簡単な説明】
【０１１６】
【図１】図１はこの発明による通信端末装置の一実施形態であるファクシミリ装置の構成を示すブロック図である。
【図２】図１に示したファクシミリ装置を用いた通信システムの一構成例を示す図である。
【図３】図１に示したファクシミリ装置とこの発明による携帯再生装置の一実施形態であるＰＤＡとからなるシステム構成の図である。
【図４】図１に示したファクシミリ装置におけるサービスセンタからのデータ受信時の処理を示すフローチャートである。
【０１１７】
【図５】図１に示したファクシミリ装置におけるサービスセンタからのデータ受信時の他の処理例を示すフローチャートである。
【図６】図１に示したファクシミリ装置におけるサービスセンタから受信したデータをメモリカードに記憶させるときの処理を示すフローチャートである。
【図７】図３に示したＰＤＡの処理を示すフローチャートである。
【図８】図３に示したＰＤＡの正面図である。
【図９】図３に示したメモリカード２１に格納されたデータの一例を示す図である。
【符号の説明】
【０１１８】
１：システム制御部    ２：システムメモリ    ３：符号化復号化部    ４：スキャナ部    ５：プロッタ部    ６：モデム    ７：網制御部    ８：操作表示部    ９：受信データ蓄積部    １０：キャラクタコードテーブル    １１：データ変換部    １２：音声出力部    １３：外部記憶装置インタフェース（Ｉ／Ｆ）    １４：バス    ２０：ＰＤＡ    ２１：メモリカード    ２２：表示部    ２３：入力ペン    ２４：検索キー    ２５：再生キー    ２６：音声のみキー    ２７：音声＋映像キー    ２８：イヤホン    ２９：イメージデータ    ３０：キャラクタコードデータ    Ｔ１〜Ｔｋ，Ｔｍ〜Ｔｎ：ファクシミリ装置    Ｌ：通信回線    ＳＣ：サービスセンタの端末装置
【図１】
2005304071.tif 000003
【図２】
2005304071.tif 000004
【図３】
2005304071.tif 000005
【図４】
2005304071.tif 000006
【図５】
2005304071.tif 000007
【図６】
2005304071.tif 000008
【図７】
2005304071.tif 000009
【図８】
2005304071.tif 000010
【図９】
2005304071.tif 000011